(57)【要約】【課題】  固体、液体、ガス又はそれらを混合したもののための柔軟な再密封可能の容器及びシステムを提供すること。【解決手段】  容器及びシステムは、積層パネルと、一組の向かい合った密封部材を含む密封可能の閉鎖体と、スライダーであって、厚さが変化する前記閉鎖体に適合させるための、前記閉鎖体の前記密封部材の向かい合う結合部分と徐々に係合するための、前記閉鎖体の意図しない分離に抵抗するように前記閉鎖体に隣接する容器の結合部分と係合し及び／又は前記容器からの前記スライダーの分離に抵抗する手段を提供するように前記密封部材に係合するための、前記容器の運搬等を容易にする固定又は取り外し可能のハンドルを組み込むための構造を含む取り外し可能のスライダーと、柔軟な容器と一体の高強度の開口部／ハンドルとを組み合わせて又は選択的に含む。【選択図】図１１
2010533630.tif 000002
【特許請求の範囲】
【請求項１】
固体、液体、ガス又はそれらの混合物を保持する柔軟な容器であって、
外面、内面及び該内面の外周縁部を有する第１のパネルと、
外面、内面及び前記内面の外周縁部を有する第２のパネルとを含み、
第１のパネルの前記外周縁部の少なくとも一部は、第２のパネルの前記外周縁部の少なくとも一部と密封結合し、前記第１のパネルの前記外周縁部の一部は密封可能の開口を規定すべく前記第２のパネルの前記外周縁部の少なくとも一部に対向し、前記第１のパネルの前記内面及び前記第２のパネルの前記内面の少なくとも一方はポリエチレンから成り、前記第１のパネルの前記外面及び前記第２のパネルの前記外面の少なくとも一方はポリウレタンから成る、柔軟な容器。
【請求項２】
前記密封可能の開口の少なくとも一部分と取り外し可能に係合する取り外し可能のスライダーを含む、請求項１に記載の柔軟な容器。
【請求項３】
前記取り外し可能のスライダーは、少なくとも２つのパネルを受け入れ、かつ前記２つのパネルの間に配置されたとき前記２つのパネルの間での分離に対する抵抗を与える寸法を有する、下壁に形成された溝を含む、請求項１又は２に記載の柔軟な容器。
【請求項４】
前記密封可能の開口は、それぞれが対応する結合要素に隣接するステップを有する第１及び第２の結合部分を備える２部品閉鎖システムを含む、請求項１又は２に記載の柔軟な容器。
【請求項５】
前記スライダーは、該スライダーと前記容器との間に張力が作用するとき、各ステップの少なくとも一方と接触する座面を含む、請求項１又は２に記載の柔軟な容器。
【発明の詳細な説明】
【技術分野】
【０００１】
本発明は、固体、液体、ガス又はそれらを混合したもののための柔軟な再密封可能の容器及びシステムに関する。本発明の実施例は、積層パネルと、一組の向かい合った密封部材を含む密封可能の閉鎖体と、スライダーであって、厚さが変化する密封可能の閉鎖体に適合させるための、前記閉鎖体の前記密封部材の向かい合う結合部分と徐々に係合するための、前記閉鎖体の意図しない分離に抵抗するように前記閉鎖体に隣接する容器の結合部分と係合し及び／又は前記容器からの前記スライダーの分離に抵抗する手段を提供するように前記密封部材に係合するための、前記容器の運搬、据え付け、取り付け、適応を容易にする固定又は取り外し可能のハンドルを組み込むための、閉鎖操作中に前記密封可能の閉鎖体に及ぼされる密封圧力を選択的に変更するための構造を含む取り外し可能のスライダーと、柔軟な容器と一体の高強度の開口部／ハンドルとを組み合わせて又は選択的に含む。
【背景技術】
【０００２】
この明細書において使用される、例えば、「面積」、「境界」、「部品」、「部分」、「面」、「領域」、それらの同義語、均等及び複数形の用語は、説明される対象に関して説明される事柄又は目印を提供することを意図する。それら及び類似又は均等の用語は、特記されるか図面及び／又は前記用語が使用された文脈から明確でない限り、参照した対象の要素それ自体の範囲を限定することを意図するものではない。
【０００３】
積層パネルに向けられた、本発明の実施例は、２以上の積層シート又はフィルム（ここで使用されるシート及びフィルムは、交互に用いられ、大きな表面積及び相対的に小さな断面厚さを有し、例えば、重合体の柔軟な容器の技術に一般的に使用される種類の材料であることを意味する。）を含む柔軟な容器の少なくとも１つのパネルを有し、前記柔軟な容器の第１のシートは、ポリエチレン（ＰＥ）から成り、前記柔軟な容器の第２のシートは、ポリウレタン（ＰＵ）から成る。ポリウレタンシートすなわちＰＵシートをポリエチレンシートすなわちＰＥシートに結合した実施例において、結合は、接着剤、熱溶着、共押し出し又は前記２つの重合体の間で独自の結合層を用いることにより得られる。この特徴を組み込み選択された実施例において、前記ＰＥシートは、常に前記容器の内側にあり、前記ＰＵシートは前記容器の外側にあり、３層以上の積層に組み込むのであれば中間層としてもよい。
【０００４】
ポリエチレン及びポリウレタンの積層パネルを組み込んだ実施例の特徴の概要を表に示す。
2010533630.tif 000003
【０００５】
2部品閉鎖システムを有する柔軟な容器に向けられている、本発明の実施例は、高エチレンビニールアセテートすなわち高ＥＶＡ含有パネルに機能的に適合させる手段及び後に詳しく説明するスライダーを受け入れる手段を提供する向かい合った一組の密封部材を含む。前記密封部材は、結合部分を含み、該結合部分は、向かい合って位置を合わされて圧縮されたとき、ガス、液体及び固体の密封を形成し、例えばＺＩＰ−ＬＯＫ（商品名）柔軟容器の分野で知られているグリップ・アンド・ピール（掴む・剥がす）のような手動操作で分離することができる。各密封部材は、グリップ部分、結合部分及びフランジ又はパネル部分を含み、該パネル部分は、前記容器のパネルに結合され、又は前記容器の一部分を成す。
【発明の概要】
【発明が解決しようとする課題】
【０００６】
2部品閉鎖システム及び一般的に見受けられる上記の従来の柔軟な容器は、鎖状低密度ポリエチレン（ＬＬＤＰＥ）及びエチレンビニールアセテート（ＥＶＡ）を含むフィルム合成物から形成され、前記閉鎖システムの結合部分の特質は前記フィルム合成物の機械的性質により決定される。ＥＶＡは、前記閉鎖体に柔軟性及び柔らかさを与えるために使用され、ＬＬＤＰＥは、密封されたときに前記閉鎖体に強度及び信頼性を与えるために使用される。閉鎖システムにおけるＥＶＡの含有率の増加は、閉鎖システムの使用性を高めるが、既存の閉鎖システムはＥＶＡの従来の割合より高い割合で使用すると、機能しなくなる。しかし、ＥＶＡの含有率を増加させた容器を使用中に取り外し可能のスライダーを使用することによって、ＥＶＡ含有率は、重量で前記閉鎖体の組成の３０％を超えることができる。前記閉鎖体の好ましい組成は、重量で５０％のＥＶＡであるが、５０％を超過するＥＶＡの濃度は可能であり、場合によっては望ましい。
【課題を解決するための手段】
【０００７】
従来の密封部材のＥＶＡ含有率を改良することは、前記スライダーの使用又は操作にとって必要ないが、本発明に係る取り外し可能のスライダーの使用は、前記密封部材のＥＶＡ含有率の増大に適合させるために好ましい。実施例に係る取り外し可能のスライダーは、前記密封部材の結合部分の分離を制限する、好ましくは前記フランジ又はパネル部分自体の分離に抵抗する。これは、後に説明するように、前記結合部分又は該結合部分に隣接したフランジ／パネル部分の分離を制限することにより得られる。しかし、前記閉鎖システムの結合部分間での変位を制限するいずれの手段も本発明の範囲内にある。
【０００８】
本発明の特定のスライダーの実施例において、前記スライダーの下壁に規定される細長い溝は、密封部材の前記フランジ／パネル部分の断面厚の２倍より大きく、前記密封部材の結合部分における結合された密封部材の一体化した断面厚より小さい横方向幅を有する。前記スライダーは、スロートと、好ましくは長手方向に伸び、前記スライダー本体に規定される空洞とを含み、前記スロートと前記溝の両方は、前記スライダーの端部から利用できる。近接した一組の密封部材を前記スロート及び溝の中へ導入すると、前記結合部分より前に前記フランジ／パネル部分の分離を物理的に制限することが前記溝を規定する前記下壁によってもたらされ、それによって前記結合部分に隣接するフランジ／パネル部分を分離する傾向にあるいずれのバイアスにも抵抗する。それは、従来技術（単一段実施例）の閉鎖システムの補完的な形状を有するスライダーを使用することにより可能となるが、最適な結果が本発明の好ましい実施例により得られる。ピンチ（ｐｉｎｃｈ）又は復帰の部分の領域は、分離抵抗手段として参照される。
【０００９】
本発明のスライダーの実施例は、前記密封部材の係合を容易にするために少なくとも１つの横方向に移動可能の要素を付加的に又は選択的に含む。この少なくとも１つの横方向に移動可能の要素は、前記スライダーの容器接触面積の全体の５０％に満たず、好ましくは１０％未満である。前記横方向に移動可能の要素は、好ましくはヒンジ状であり、結合部分接触タブを含む。前記タブの内側の接触面（一方の密封部材の前記結合部分と接触する面）と前記スライダー本体の向かい合った内側の面との間の距離は、好ましくは結合部分において結合した一組の密封部材の呼び厚さに等しく、したがって、本発明のこの特徴を組み入れた閉鎖体が閉鎖位置にあるとき、前記密封部材と前記スライダーのどちらにおいてもクリープ（ｃｒｅｅｐ）の可能性を減少させる。さらに、前記タブは、より大きい呼び厚さを有する閉鎖システムの結合部分に適合するために外見上横方向に曲げる能力があり、前記タブによりもたらされる閉鎖バイアスを増加させるために横方向に偏倚させた内側への力を使用者が受け取る能力がある。本発明の選択された実施例において、２つの向かい合ったタブが使用され、両方が実質的に前記同じ機能を果たす。構造上好ましい材料は、アセタール樹脂であり、低摩擦、高剛性及び低クリープ特性をもたらす。加えて、アセタール樹脂は、温度変化に前記好ましい密封部材の組成と同様に機械的に反応する。
【００１０】
前記密封部材の係合を容易にするために少なくとも１つの横方向に移動可能の要素を用いる実施例の使用性を向上させるため、前記内側の面は複合曲率を有することができ、複合曲率又は面は、一組の密封部材の結合部分で徐々に作動し、すなわち、前記スライダーの平行移動の間、前記結合部分の第１の部分が結合し、その後第２の部分が結合する。この特徴は、前記密封過程の間、係合力を減少させる。
【００１１】
注目すべきは、前記少なくとも１つの横方向に移動可能の要素は、好ましくは機能的に独立した前記分離抵抗手段であり、該手段は、前述したように、密封面を分離する力を最小限にすべく用いられる。この分離の作用及び物理的配置は、使用目的及び機能的に好ましくない妥協をさけるために各要素／特徴の前記形状及び組成の両方を調整することを許す。
【発明の効果】
【００１２】
加えて、本発明に係るスライダーは、該スライダーの機能性を向上させるため及び前記スライダーに結合された容器の実用性を向上させるため、様々な表面特徴及び開口と結合することができる。例えば、ある実施例は、閉鎖システムを横切る前記スライダーの動作を容易にするために前記少なくとも１つの横方向に移動可能の要素に隣接する隆起部を含むことができる。この隆起部は前記少なくとも１つの横方向に移動可能の要素のために構造基礎の増大をもたらし、その結果、広い範囲に力を分布させ、前記スライダーの寿命を向上させる。加えて、様々な孔が、機能性の向上（構造物の取付接合部分、例えば水和容器に一般的に用いられているつり下げ留め具を使用するなど）のためのほかに、重量の低減のために前記スライダー又はハンドル接合部分に形成されてもよい。
【００１３】
加えて、前記スライダーは、以下で説明するように、一体化されたハンドル（閉じた穴、又はＪ又はＴ状のハンドルのような突出した腕）で構成することができ、また取り外し可能の把持部材を受けるためのハンドル接合部分を備えることもできる。
【００１４】
前記スライダーから取り外し可能のハンドル（又は取り外し可能のハンドル手段を備えるスライダー）のいずれの形態も本発明の範囲内にあるが、本発明の特定の実施例は、取り外し可能のハンドルのために、少なくとも１つ、好ましくは２つのハンドル受け入れ部分を有する。選択された実施例では、前記スライダーのハンドル接合部分は２つの突起受け入れ穴を有し、該穴は好ましくは前記スライダー接合部分に沿って長手方向に配置される。柔軟な細長いハンドルは端部に突起を有し、前記スライダーに受け入れられる。前記ハンドルが要求されない、すなわち重量の考慮が最重要であるならば、前記ハンドルを除くことができ、前記スライダーの特定の実施例の一体化された開口にのみ頼ることができる。さらに、前記スライダーにより規定されるハンドル受け入れ部分の一般的な特徴のために、異なる形態のハンドルは、前記スライダーで使用するために適合させることができる。加えて、前記突起受け入れ穴は、前記取り付け接合部分に自動的に力が加わるほど、すなわち前記ハンドルの荷重が高くなるほど、前記ハンドルと前記スライダーとの間の固定力が大きくなるように構成することができる。
【図面の簡単な説明】
【００１５】
【図１】一体の口を有する柔軟な液体容器の部分斜視図。
【図２】柔軟な液体容器の部分平面図。
【図３】それぞれがフランジ／パネル部分、グリップ部分及び結合部分を含む２つの密封部材であってその一方がステップを有する２つの密封部材を備える、従来技術に係る２部品閉鎖システムの端面図。
【図４】それぞれがフランジ／パネル部分、グリップ部分及び結合部分を含む２つの密封部材であってその何れもがステップ有する２つの密封部材を備える、本発明の実施例に係る２部品閉鎖システムの端面図。
【図５】柔軟な容器の２つのパネルに結合された、図４に示した閉鎖システムの横断面図。
【図６】本発明に係るスライダーの実施例の斜視図。
【図７】図６のスライダーの正面図。
【図８】２部品閉鎖システムの密封部材間でかみあいを生じさせるために使用されるスロート及びヒンジタブを詳細に示す、図６に示したスライダーの斜視図。
【図９】本体側壁と上壁とにより形成された空洞を示す、図７の線９−９に沿って得た断面図。
【図１０】本体スロートにおける図９に示したヒンジタブの詳細図。
【図１１】図５の閉鎖システム及び容器と係合した、図６のスライダーの斜視図。
【図１２】スライダー本体の下壁により規定される溝を示す、図６のスライダーの下面図。
【図１３】図１２における線１３−１３に沿って得た横断面図。
【図１４】スライダー本体のスロート、ヒンジタブ及びスロットを特に詳細に示す図６のスライダーの斜視図。
【図１５】本発明の実施例に係る２部品閉鎖システム及びスライダーを有する容器を含む本発明に係るシステムの斜視図。
【発明を実施するための形態】
【００１６】
図面において数字が付された引き出し線は、以下に説明される構造、事柄又は目印と関連するとき、説明されている対象に関して前記の構造、事柄又は目印を区別することを意図している。
【００１７】
図面を参照するに、同様の部分は同じ番号で、本発明の実施例が示されている。本発明の実施例は、固体、液体等を保持するために一般に使用される柔軟な容器に係る。図１，２は、パネル２２ａ、２２ｂ、口２４及び接合部２６を含む容器２０を示す。取手又は開口部２８は、容器２０の実用性を増すために接合領域に形成されている。
【００１８】
口２４は、液体の容器２０からの出し入れに便宜な手段を提供するが、より大きい開口が多くの固体、例えば角氷に必要とされる。これに関して、パネルの完全な開口が必要とされ、また該開口を液体的に密封する機能が必要とされる。従来の２部品閉鎖システムは、そのために使用され、図３に示されたと同じ又は類似の構造に頼ってきた。しかし、前記閉鎖システムは、所期の目的のためには十分でも、ある環境では、また従来なかった重合製剤（ｐｏｌｙｍｅｒｉｃ  ｆｏｒｍｕｌａｔｉｏｎｓ）で構成されるときは不適当であった。
【００１９】
図４に示された２部品閉鎖システム３０は、図６に示されたスライダー８０と結合され、最適化された高分子製剤を使用することを可能にし、構造の一体性すなわちなんの問題もなしに液体を保持する。容器２０のパネル２２ａ，２２ｂが結合された状態が図５に示されている。
【００２０】
位置を合わせて向かい合った複数対の密封部材が閉鎖システム３０を形成し、各密封部材３２ａ，３２ｂは、３つの主要部分すなわちパネル部分４０、グリップ５０及び結合部分６０を有するストリップ３４を含む。参照の便宜のために、前記各部分又は任意の密封要素は、接尾語すなわちａ又はｂを含む。したがって、結合エレメント６０ａは、必然的に密封部材３２ａと関連する。しかし、前記部分又は要素を一般的に参照するとき、前記接尾語は使用しない。
【００２１】
ストリップ３４のグリップ部分５０は、グリップストリップ５２ａ、５２ｂ、ひいては結合エレメント６０ａ、６０ｂを分離させるための利用しやすい手段を使用者に提供する。グリップストリップ５２ａ、５２ｂの使用性を向上させるべく、隆起部及び／又は突起５４は、グリップストリップの一方、他方又は両方に形成されてもよい。突起５４は、グリップ部分５０ａにおいてストリップ３４ａの内面３６ａに形成することができ、グリップ部分５０ｂにおいてストリップ３４ｂの内面３６ｂに形成することができ、グリップ部分５０ａにおいてストリップ３４ａの外面３８ａに形成することができ、グリップ部分５０ｂにおいてストリップ３４ｂの外面３８ｂに形成することができ、及び／又は上記の組合せとすることもできる。突起５４は、不連続な、例えば、ドット（ｄｏｔｓ）、バンプ（ｂｕｍｐｓ）及び／又は幾何学形状とすることができ、及び／又は幅のある直線及び／又は曲線とすることもできる。これらの摩擦向上手段は、使用者の手に嵌められたグローブの存在、使用者の手の潤滑油の存在、極端な温度に起因する使用者の手の器用さの欠如及び同様の手の障害に起因して発生するかもしれない保持の問題に対処するために供される。その上、これらの隆起部及び／又は突起の特定の形状は、グリップ部分５０に付加的な構造上の剛性を与え、それによって、後に説明するように、スライダー８０との関係を円滑にする。
【００２２】
密封部材３２ａ、３２ｂは、ストリップ状すなわち帯状でありパネル２２ａ又は２２ｂに一体ではないように示されているが、当業者は、図示の例のように密封部材３２ａ、３２ｂが、パネル又は複数のパネルの変形の間、パネル又は複数のパネルとともに一体的に形成されても、又は別々に接合されてもよく、あるいはその反対で変形作用が終わったパネルにパネルを固定してもよい。したがって、図に示された各パネル部分４０は、パネル２２ａ、２２ｂに取り付けられて密封されることが意図され、またこの実施例においてパネル部分４０ａ、４０ｂを含む。
【００２３】
パネル部分４０とグリップ部分５０との間に位置するのは結合部分６０である。結合エレメント６０ａ、６０ｂは、当技術分野で知られているように相互に反対の位置に合わされて圧迫を受けるとき、相互に密封して結合する。各結合部分は、ベース６２を含み、該ベースから伸びる複数のランド６４は補助溝６８を幾何学的に規定する複数のヘッド６６を有する。図示の実施例では、結合エレメント６０ａにおいてストリップ３４ａはベース６２ａを形成し、ベース６２ｂはストリップ３４ｂからオフセット６３だけ片寄っている。現在では好まれているが、当業者は、オフセット６３の存在、欠如又は結合エレメント６０ａにおいてストリップ３４ａ及びベース６２ａが同一の広がりを持つ性質が密封部材３２ａ、３２ｂ間に液密をもたらす作用に必要でないことを理解するだろう。
【００２４】
当業者は、前記容器が密封された状態にあり、パネル部分４０ａ、４０ｂが動かされたとき、幾何学的形態及び非対称のヘッド６６が対応する溝からの離脱に有効に抵抗することも理解するだろう。オフセット６３の配置及び性質は、さらにこの目的のために有益である。しかし、前記構造及び形状は、本発明の実施例の操作に必要でなく、一形態を示しているにすぎない。
【００２５】
パネル部分４０と結合部分６０との間の接合部分近傍に位置しているのは、各密封部材３２ａ、３２ｂのためのステップ７２である。ステップ７２ａ、７２ｂは、結合エレメント７０ａ、７０ｂを互いから外す手段として設けられ、密封部材３２ａ、３２ｂが係合しているとき、ピンチ領域４４ａ、４４ｂ（図５参照）においてパネル部分４０ａ、４０ｂが相互に極めて接近して保持されることになる。ステップ７２ａ、７２ｂは、スライダー８０が機能できるように該スライダーとの相互作用のための手段、密封部材３２ａ、３２ｂを圧縮して結合するための手段、ステップ７２ａ、７２ｂの座面７４ａ、７４ｂのそれぞれに圧縮接触することにより容器２０を輸送する手段として密封部材３２ａ、３２ｂを有益に提供する。
【００２６】
図示の実施例は、パネル部分４０からほぼ直角に延びるステップ７２を示しているが、当業者は、結合要素の機能を実現する角度及び／又は幾何学的形態のどの程度への変位も十分であることを理解するだろう。好ましくは、いずれの角度及び／又は形態も、密封部材３２ａ、３２ｂが係合しているとき、ピンチ領域４４ａ、４４ｂ（図５参照）においてパネル部分４０ａ、４０ｂが相互に接近して保持されることを可能にする。
【００２７】
図６ないし図１５に最もよく示されているように、スライダー８０は、好ましくはアセタールポリマー材料で構成され、該材料は高強度かつ長寿命で、軽量の製品を提供する。スライダー８０は、直線状の形状を有するが、平面及び／又は幾何学的形状を組み合わせた一定の曲率半径を備えるように形成することもできる。当業者は、どの対応する閉鎖システムでも前記幾何学的形状を考慮に入れる必要があることを十分理解するだろう。
【００２８】
容器２０と組み合わせていくつかの機能を果たすスライダー８０は、それぞれが単独で及び／又は様々な組み合わせにおいて有効に使用することができ、本発明の範囲内にある。スライダー８０の第１の機能は、結合エレメント６０ａ、６０ｂのそれ自体を徐々に圧縮する能力（ａｂｉｌｉｔｙ）に関する。第２の機能は、密封部材３２ａ、３２ｂが係合しているとき、ピンチ領域４４ａ、４４ｂにおいてパネル部分４０ａ、４０ｂが相互に接近して保持される能力に関する。第３の機能は、結合部分６０の幾何学的形状を利用することにより容器運搬接合部分として機能するための能力に関する。第４の機能は、使用者がそのように望むならば（たとえば、密封部材３２ａ、３２ｂ間で最大の変位をすること、又は格納する又は使用するための能力を高めることが望まれたとき）容器２０から完全に取り去るための能力に関する。
【００２９】
スライダー８０は、上部８４と、下部９０と、端部１０４、１０８と、側部１００ａ、１００ｂとを有する本体８２を備える。上部８４は、上壁８６及び該上壁から延びるハンドル接合部分１２０を有する。端部１０８は、上壁８６、側部１００ａ及び側部１００ｂと共に本体空洞１０２（図９、１０、１３及び１４参照）を規定する端壁１０９を有する。端部１０４は、図６、８、１０及び１４に最もよく示されているように、上壁８６、側部１００ａ及び側部１００ｂにより規定されるスロート１０６を有する。下部９０は、図８、１２及び１４に最もよく示されているように下壁９４により規定される溝９２を有する。特に、側面９６ａ、９６ｂは、溝９２を規定し、後に説明するように、容器２０の使用中にパネル２２ａ、２２ｂの分離を防止すべくピンチ領域４４ａ、４４ｂに接触して支持する。加えて、下部９０は、座面９８ａ、９８ｂを有し、後に説明するように、ステップ７２ａ、７２ｂの座面７４ａ、７４ｂのそれぞれを圧縮して支持する。
【００３０】
スライダー８０の本体８２は、さらに結合部分接触面１１２ａ、１１２ｂを有するヒンジタブ（ｈｉｎｇｅｄ  ｔａｂｓ）状の動的要素１１０ａ、１１０ｂを備え、結合部分接触面１１２ａ、１１２ｂは、密封部材３２ａ、３２ｂが結合部分接触面１１２ａ、１１２ｂの間にあり、使用者により圧縮されるとき、結合部分６０に必要な圧縮力を及ぼすように作用する。密封部材３２ａ、３２ｂを変形させることにより、使用者は前記密封部材を完全にかみ合わせることができる。この構造の利益は、様々な形状及び厚さの密封部材に適合できるが、静的封止装置には適合しない。
【００３１】
本体８２に備えられたヒンジリンケージ（ｈｉｎｇｅｄ  ｌｉｎｋａｇｅ）又はアソシエーション（ａｓｓｏｃｉａｔｉｏｎ）は、前記密封部材に動的圧縮バイアスを果たすためだけの手段でないこと、本体８２の側部１００ａ、１００ｂのヒンジタブ１１０ａ、１１０ｂの図示された位置及び／又は幾何学配置は、唯一ではないこと（例えば、前記図示されたタブの幾何学的配置は、９０°、１８０°、２７０°又はあらゆる角度に回転させることができる。）、及び／又は２つ以上の前記動的要素が必要とされることを理解するだろう。スライダー８０に取り付けられた任意の横方向に変位可能の要素又は複数の要素は、本発明の実施例のこの態様の要件を満たすように空洞１０２に動作可能に配置されたとき、少なくとも１つの密封部材３２ａ、３２ｂに圧縮して接触することができる。全体として、前記要素は動的な圧縮機として参照される。
【００３２】
上記の配置及びそれと同等のものの利点は、ヒンジタブ１１０ａ、１１０ｂの結合部分接触面１１２ａ、１１２ｂの間の比較的遠い距離が幅の厚い閉鎖体（及び図示された実施例のように外側への動作機能を備えるならば、空洞１０２内の最小の横方向距離まで）を部分的に受け入れ、保持することができ、一方、所定の閉鎖のために結合部分６０を機能的にかみ合わせる能力を保持することにある。したがって、スライダー８０は、多種多様の閉鎖体とともに使用することができる。
【００３３】
容器２０とスライダー８０との組合せ又は使用は、容器２０が一杯のとき又は前記容器の内圧が環境気圧／外圧を上回るとき、ピンチ領域（ｐｉｎｃｈ  ｚｏｎｅ）４４においてパネル２２ａ、２２ｂの分離に抵抗する手段を提供する。前記結合領域要素の幾何学的形状がこの分離の効果を減じようとするが、追加の抵抗力がピンチ領域４４ａ、４４ｂを通して伸びる溝９２を規定する側面９６ａ、９６ｂにより与えられる。この分離抵抗手段は、特に比較的高いＥＶＡ含有量（すなわち、柔らかく及び／又は柔軟なパネル及び／又は密封部材）を有する容器及び／又は密封部材との共同が有用である。
【００３４】
スライド本体８２の下壁９４及び／又は側面９６ａ、９６ｂがこの構造により得られる分離抵抗力の利点を実現するために連続である必要はない。分割された壁及び／又は複数の面は、同じ又は同様の結果を使用すること及び得ることができ、それ故にそれ自体と同等のものである。
【００３５】
スライド本体８２の下壁９４は、パネルの分離抵抗力、すなわち重力（例えば、運搬、つるすこと等）に対する容器２０の支持に加えて機能性を与える。
前記したように、ステップ７２ａ、７２ｂは、スライド本体８２及び容器２０が図１５に示されている張力関係にあるとき、下壁９４の座面９８ａ、９８ｂと相互に圧縮して作用する座面７４ａ、７４ｂを含む。パネル分離抵抗手段に関する場合のように、当業者は、スライド本体８２の下壁９４及び／又は座面９８ａ、９８ｂがこの構造により得られる前記張力抵抗の利益を実現するために連続である必要はない。分割された壁及び／又は表面は、それらの直角な分離のために同じ又は同様の最後の抵抗を使用すること及び得ることができ、それ故にそれ自体と同等のものである。ここで使用されるように、直角とは、前記容器に沿って移動するスライダーの方向と実質的に直角な方向を指し、張力は前記スライダーと前記容器との間に生ずる。
【００３６】
スライド本体８２及び容器２０の直角な分離に抵抗するための手段を提供することに加えて、スライド８０は、容器の運搬、つかむこと及び同等のもののために接合部分として機能する。この目的を達成するために、ハンドル接合部分１２０は、上壁８６から伸び、図示された実施例において柔軟なハンドル（図６ないし８参照）のためにいくつかの穴及び受け入れ配置を提供する。使用者は、容器２０が大きいとき又はかなりの質量を有するとき、引き裂き、剥離又は構造破損の他の形態の影響を受けやすい、容器２０に形成され又は取り付けられた穴及び他の構造物を頼りにする必要がない。さらに、容器２０を置く又は運ぶためのこの強固な手段は着脱可能であり、必要ないとき、スライダー８０は取り外すことができ、後で再び取り付けることができる。当然ながら、様々な配置及び／又は輸送装具がハンドル接合部分１２０と関連することができ、ここで明確に開示されたそれらに限定するものではない。
【００３７】
スライダー８０の特徴は、柔軟なハンドル１２２を受ける能力である。ハンドル１２２は、柄１２６に取り付けられる２つの端部を有する重合体のリボン１２４を含む。同様に、柄１２６はハンドル接合部分１２０に形成された受け手１２８に取り付けられる。要求された時のみ存在の主題に続いて、ハンドル１２２は都合良く取り外すことができ、要求されたとき再度取り付けることができる。
【符号の説明】
【００３８】
２０              容器
２２ａ、２２ｂ    パネル
４０              パネル部分
５０              グリップ部分
６０              結合部分
６０ａ、６０ｂ、７０ａ、７０ｂ  結合エレメント
７２              ステップ
７４ａ、７４ｂ    座面
８０              スライダー
９２              溝
９４              下壁
【図１】
2010533630.tif 000004
【図２】
2010533630.tif 000005
【図３】
2010533630.tif 000006
【図４】
2010533630.tif 000007
【図５】
2010533630.tif 000008
【図６】
2010533630.tif 000009
【図７】
2010533630.tif 000010
【図８】
2010533630.tif 000011
【図９】
2010533630.tif 000012
【図１０】
2010533630.tif 000013
【図１１】
2010533630.tif 000014
【図１２】
2010533630.tif 000015
【図１３】
2010533630.tif 000016
【図１４】
2010533630.tif 000017
【図１５】
2010533630.tif 000018
【国際調査報告】
2010533630.tif 000019
2010533630.tif 000020
2010533630.tif 000021